(57)【要約】【課題】停止時に運転方向を簡単に把握できる乗客コンベアを提供する。【解決手段】エスカレータ１０を操作するための操作盤２８と、操作盤２８に設けられ、エスカレータ１０の運転方向を表示する表示灯４０，４２と、運転方向が予め記憶され、エスカレータ１０の停止時に運転方向を表示灯４０，４２に表示させる制御装置２６とを有する。【選択図】      図２
2013133217.tif 000002
【特許請求の範囲】
【請求項１】
乗客コンベアを操作するためのた操作盤と、
前記操作盤に設けられ、前記乗客コンベアの運転方向を表示する表示部と、
前記乗客コンベアの運転方向が予め記憶され、前記乗客コンベアの停止時に前記運転方向を前記表示部に表示させる制御部と、
を有する乗客コンベア。
【請求項２】
前記乗客コンベアの上階側に設けられた上階側照明部と、
前記乗客コンベアの下階側に設けられた下階側照明部と、
をさらに有し、
前記制御部は、前記乗客コンベアの停止時に前記運転方向に対応した前記上階側照明部、又は、前記下階側照明部を点灯、又は、点滅させる、
請求項１に記載の乗客コンベア。
【請求項３】
スピーカをさらに有し、
前記制御部は、前記乗客コンベアの停止時に前記運転方向を、前記スピーカから音声によって案内する、
請求項１又は２に記載の乗客コンベア。
【請求項４】
ブザーをさらに有し、
前記制御部は、前記ブザーを鳴動させた後に、（１）前記運転方向を前記表示部に表示させるか、（２）前記運転方向に対応した前記上階側照明部、又は、前記下階側照明部を点灯、又は、点滅させるか、又は、（３）前記運転方向を前記スピーカから音声によって案内する、
請求項１乃至３のいずれか一項に記載の乗客コンベア。
【請求項５】
時間を計測するタイマーをさらに有し、
前記制御部は、前記タイマーを用いて予め決められた時間帯のみ、前記ブザーを鳴動させる、
請求項４に記載の乗客コンベア。
【発明の詳細な説明】
【技術分野】
【０００１】
本発明の実施形態は、エスカレータや動く歩道などの乗客コンベアに関するものである。
【背景技術】
【０００２】
スーパーマーケットや百貨店などの商業施設などの複数台の乗客コンベアは、その運転方向（上昇又は下降）が固定されて運用されていることが多く、乗客コンベアの管理者は、運転方向を常時間違えないようにする注意する必要がある。また、保守員も同様に保守点検、故障停止時の運転再開時には、その運転方向を間違えないように起動する必要がある。
【０００３】
従来、このような運転方向の間違いを防止するため、操作盤の起動キースイッチの近傍に運転方向を表すシールを貼っていた。
【先行技術文献】
【特許文献】
【０００４】
【特許文献１】特開２００６−１７６２８４号公報
【発明の概要】
【発明が解決しようとする課題】
【０００５】
しかし、上記のような運転方向を表すシールを貼ると、経年変化によってそのシールが剥がれるたびに貼り直す必要があり、また、意匠面において剥がれかけたシールは見た目にも悪いという問題点があった。
【０００６】
そこで、本発明の実施形態は、上記問題点に鑑み、乗客コンベアの停止時に運転方向を簡単に把握できる乗客コンベアを提供することを目的とする。
【課題を解決するための手段】
【０００７】
本実施形態は、乗客コンベアを操作するためのた操作盤と、前記操作盤に設けられ、前記乗客コンベアの運転方向を表示する表示部と、前記乗客コンベアの運転方向が予め記憶され、前記乗客コンベアの停止時に前記運転方向を前記表示部に表示させる制御部と、を有する乗客コンベアである。
【図面の簡単な説明】
【０００８】
【図１】本実施形態のエスカレータの側面から見た説明図である。
【図２】下階側の操作盤の拡大図である。
【図３】上階側の操作盤の拡大図である。
【図４】エスカレータのブロック図である。
【発明を実施するための形態】
【０００９】
以下、本発明の一実施形態の乗客コンベアについて説明する。本実施形態では、乗客コンベアとしてエスカレータ１０に関して、図１〜図４に基づいて説明する。
【００１０】
（１）エスカレータ１０の構造
エスカレータ１０の構造について図１に基づいて説明する。
【００１１】
図１に示すように、エスカレータ１０の本体を構成するトラス１２が、建屋の上階側と下階側に配置されている。このトラス１２には、無端状に複数連結された踏段１６が循環移動する。なお、本明細書では、踏段１６が上昇するときを「上昇運転」といい、下降するときを「下降運転」という。
【００１２】
踏段１６の左右両側におけるトラス１２の上面には左右一対のスカートガード１８が設けられ、各スカートガード１８から欄干２０がそれぞれ立設されている。欄干２０の周縁部には、移動手すり２２が設けられている。
【００１３】
トラス１２の上階側の端部には、機械室１４が設けられ、この機械室１４内部には、踏段１６及び移動手すり２２を同期して駆動させるためのモータ２４が設けられている。また、この機械室１４内部には、モータ２４を制御するための制御装置２６が設けられている。さらに、このエスカレータ１０には、利用客の安全を確保するための安全装置５２が設けられている（図４参照）。
【００１４】
図１に示すように、上階側のスカートガード１８の乗降口付近には、上階側の操作盤２８、照明装置３０、スピーカ３２が設けられている。下階側のスカートガード１８の乗降口付近にも、同様に操作盤２８、照明装置３０、スピーカ３２が設けられている。
【００１５】
（２）操作盤２８の構成
操作盤２８の構成について、図２及び図３に基づいて説明する。
【００１６】
図２は下階側の操作盤２８の拡大図であり、図３は上階側の操作盤２８の拡大図である。
【００１７】
図２に示すように、下階側の操作盤２８には、非常停止ボタン３４、上昇運転又は下降運転を行うための起動キースイッチ３６、その起動前にブザーを発生させる場合とエスカレータ１０を停止させる場合の選択を行う操作キースイッチ３８とが設けられている。起動キースイッチ３６の周囲には、上昇運転又は下降運転を表わすための表示灯４０，４２が設けられている。ここで、表示灯４０は上昇運転を行う場合に点灯するものであり、表示灯４２は下降運転を行う場合に点灯するものである。
【００１８】
図３に示すように、上階側の操作盤２８も、下階側の操作盤２８と同様の構成を有している。
【００１９】
（３）制御装置２６の構成
次に制御装置２６の構成について図４のブロック図に基づいて説明する。
【００２０】
制御装置２６は、制御盤内部に収納され、入力部４４、演算部４６、出力部４８、記憶部５０を有している。
【００２１】
入力部４４には、上階側と下階側の非常停止ボタン３４、起動キースイッチ３６、操作キースイッチ３８及び安全装置５２が接続されている。
【００２２】
出力部４８には、上階側と下階側の表示灯４０，４２、照明装置３０、スピーカ３２が接続されている。
【００２３】
記憶部５０には、このエスカレータ１０の運転方向（すなわち、上昇又は下降）が入力されている。この運転方向は、エスカレータ１０を設置した時点で保守員が予め入力する。
【００２４】
非常停止ボタン３４は、エスカレータ１０に異常が発生した場合に利用客が押してエスカレータ１０を非常停止させるものである。
【００２５】
起動キースイッチ３６は、管理者又は保守員がキーを差し込み、右側に回すと上昇運転、左側に回すと下降運転を開始する。
【００２６】
操作キースイッチ３８は、管理者又は保守員がキーを差し込み、起動させる場合には右側に回してブザーが鳴らし、停止させる場合には左側に回してエスカレータ１０を停止させる。
【００２７】
（４）エスカレータ１０の起動
エスカレータ１０が、保守点検などの理由で停止した場合、又は、安全装置５２が動作してエスカレータ１０が停止した後に、管理者又は保守員がエスカレータ１０を起動させる場合について説明する。
【００２８】
エスカレータ１０が停止すると、制御装置２６の記憶部５０に予め記憶されている運転方向（上昇又は下降）の情報に基づいて、上階側と下階側の操作盤２８，２８の表示灯４０又は表示灯４２を点灯させる。上昇の場合には表示灯４０を点灯させ、下降の場合には表示灯４２を点灯させる。
【００２９】
次に、管理者又は保守員が、操作キースイッチ３８にキーを差し込み、右側にキーを回転させると、スピーカ３２からブザーが鳴り、回りの人にエスカレータ１０が起動することを周知する。
【００３０】
次に、管理者又は保守員が、起動キースイッチ３６にキーを差し込み、点灯している表示灯４０又は表示灯４２の方向にキーを回転させる。これによって、エスカレータ１０の踏段１６が予め決められた方向（上昇又は下降）に動き始める。
【００３１】
（５）効果
上記実施形態によれば、エスカレータ１０の停止時に表示灯４０又は表示灯４２が点灯するため、この表示灯４０，４２の点灯している方向にキーを回転させれば、予め決められている方向（上昇又は下降）にエスカレータ１０を運転させることができる。そのため、従来のように起動キースイッチの回りにシールを貼る必要がない。
【００３２】
（６）変更例
上記実施形態では、表示灯４０又は４２のみを点灯させたが、これに加えて、上昇運転する場合には、上階側の照明装置３０を点灯させ、下階側の照明装置３０を消灯する。逆に、下降運転する場合には、上階側の照明装置３０を消灯し、下階側の照明装置３０を点灯させる。
【００３３】
また、スピーカ３２によって運転方向を放送してもよい。例えば「このエスカレータは上り運転です」と放送する。
【００３４】
また、制御装置２６内部にタイマーを設けて予め決められた時間帯のみ表示灯４０，４２による運転方向を表してもよい。すなわち、利用客の多い時間帯のみ本制御を行う。照明装置３０、スピーカ３２を利用したときも同様である。
【００３５】
また、上記実施形態では、表示灯４０，４２を点灯させたが、これに代えて点滅させてもよい。
【００３６】
また、上記実施形態では、乗客コンベアとしてエスカレータ１０で説明したが、これに代えて動く歩道に適用してもよい。
【００３７】
上記では本発明の一実施形態を説明したが、この実施形態は、例として提示したものであり、発明の範囲を限定することは意図していない。これら新規な実施形態は、その他の様々な形態で実施されることが可能であり、発明の主旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３８】
１０・・・エスカレータ、１２・・・トラス、２６・・・制御装置、２８・・・操作盤、３０・・・照明装置、３２・・・スピーカ、３４・・・起動キースイッチ、３６・・・操作キースイッチ、４０・・・表示灯、４２・・・表示灯
【図１】
2013133217.tif 000003
【図２】
2013133217.tif 000004
【図３】
2013133217.tif 000005
【図４】
2013133217.tif 000006